(57)【要約】  骨穴に対して所望の位置に組織を固定するためのノットレス縫合アンカー構築物。構築物は、第一の端および第二の端を有する基材と、基材に沿った複数の通過位置を通して織り込まれたフィラメントとを含む。フィラメントは、通過リムおよび縮小リムに延びる第一のループを形成する。複数の通過位置のうち隣接する二つの通過位置の間の縮小リムに通過部分がある。配置前構成では、フィラメントの第一のループは、基材の第一の端から延び、通過リムおよび縮小リムは、基材の第二の端から延びる。また、配置前構成では、通過部分は第一のループを通って延び、縮小リムに第二のループを形成する。【選択図】図４
2021516086.tif 000002
【特許請求の範囲】
【請求項１】
ノットレス縫合アンカー構築物であって、
第一の端および第二の端を有する基材と、
前記基材に沿って複数の通過位置を通って織り込まれたフィラメントであって、通過リムおよび縮小リムに延びる第一のループを形成するフィラメントと、
前記複数の通過位置のうち隣接する二つの通過位置の間の前記縮小リムの通過部分と、を備え、
配置前構成では、前記フィラメントの前記第一のループは、前記基材の第一の表面および前記第一の端から延び、前記通過リムおよび前記縮小リムは、前記基材の前記第一の表面または第二の表面および前記第二の端から延び、
前記配置前構成では、前記通過部分は前記第一のループを通って延び、前記縮小リムに第二のループを形成する、ノットレス縫合アンカー構築物。
【請求項２】
前記配置前構成では、前記第一のループが、第一の直径から第二の直径にサイズを縮小するように構成されるように、前記通過リムに張力がかけられる、請求項１に記載の構築物。
【請求項３】
前記配置前構成では、前記第一のループが前記第二のループの周りに巻かれる、請求項２に記載の構築物。
【請求項４】
前記フィラメントが、中空縫合糸ブレイドから構成される、請求項１に記載の構築物。
【請求項５】
前記第一のループが、前記基材の前記第一の端で前記複数の通過位置の第一の通過位置から延びる、請求項１に記載の構築物。
【請求項６】
前記縮小リムおよび通過リムが、前記基材の前記第二の端で前記複数の通過位置の第二の通過位置から延びる、請求項１に記載の構築物。
【請求項７】
配置構成では、前記通過リムが、物体の周りを通り、前記第二のループを通って延びる、請求項６に記載の構築物。
【請求項８】
前記配置構成では、前記第二のループが、第一の直径から第二の直径にサイズを縮小するように構成されるように、前記縮小リムに張力がかけられる、請求項７に記載の構築物。
【請求項９】
前記基材の前記第二の表面から延びる前記通過リムおよび縮小リムの露出した部分を通って織り込まれた細長いロッキングフィラメントをさらに含む、請求項１に記載の構築物。
【請求項１０】
ノットレス縫合アンカー構築物であって、
通過リムと縮小リムとの間にスプライスを有するフィラメントであって、
前記通過リムは、前記スプライスを通って延び、第一のループを作る、フィラメントと、
第一の端および第二の端を有する基材であって、
配置前構成では、前記フィラメントは、前記通過リムが前記基材の前記第一の端の第一の通過位置を通って延びるように、また前記縮小リムが、前記基材の前記第二の端に向かって一つまたは複数の通過位置を通って延びるように、前記基材を通して織られる、基材と、
前記基材の前記第二の端に向かう、前記一つまたは複数の通過位置のうちの隣接する二つの通過位置の間の前記縮小リムの通過部分であって、
前記配置前構成では、前記通過部分は前記第一のループを通って延び、前記縮小リムに第二のループを形成する、通過部分と、を備える、ノットレス縫合アンカー構築物。
【請求項１１】
前記配置前構成では、前記第一のループが、第一の直径から第二の直径にサイズを縮小するように、前記通過リムに張力がかけられる、請求項１０に記載の構築物。
【請求項１２】
前記配置前構成では、前記第一のループが前記第二のループの周りに巻かれる、請求項１１に記載の構築物。
【請求項１３】
配置構成では、前記通過リムが、物体の周りを通り、前記第二のループを通って延びる、請求項１０に記載の構築物。
【請求項１４】
前記配置構成では、前記第二のループが、第一の直径から第二の直径にサイズを縮小するように、前記縮小リムに張力がかけられる、請求項１０に記載の構築物。
【請求項１５】
前記フィラメントが、中空縫合糸ブレイドから構成される、請求項１０に記載の構築物。
【請求項１６】
物体を骨穴に対する位置に固定する方法であって、
第一の端および第二の端を有する基材、前記基材に沿って複数の通過位置を通って織られるフィラメントを備え、前記フィラメントは通過リムおよび縮小リムに延びる第一のループを形成し、前記フィラメントの前記第一のループは、前記基材の前記第一の端から延び、前記通過リムおよび前記縮小リムは、前記基材の前記第二の端から延び、前記複数の通過位置のうちの隣接する二つの通過位置の間の前記縮小リムに通過部分があり、前記通過部分は前記第一のループを通って延び、前記縮小リムに第二のループを形成する、ノットレス縫合アンカー構築物を提供するステップと、
前記ノットレス縫合アンカー構築物を骨穴に挿入するステップと、
前記通過リムを前記物体の周り、次いで前記第二のループを通して通過させるステップと、
前記第二のループの前記サイズを縮小するために前記縮小リムに張力をかけるステップと、を含む、方法。
【請求項１７】
前記ノットレス縫合アンカー構築物をドライバー上に装填するステップをさらに含む、請求項１６に記載の方法。
【請求項１８】
前記基材が前記ドライバーのフォーク状端に装填される、請求項１６に記載の方法。
【請求項１９】
前記縮小リムおよび前記通過リムをトリミングするステップをさらに含む、請求項１６に記載の方法。
【発明の詳細な説明】
【技術分野】
【０００１】
関連出願の相互参照
本出願は、２０１８年３月１日出願の「Ｋｎｏｔｌｅｓｓ  Ａｌｌ−Ｓｕｔｕｒｅ  Ａｎｃｈｏｒ」と題された、米国仮特許出願第６２／６３６，９０６号、２０１８年３月１日出願の「Ｋｎｏｔｌｅｓｓ  Ａｌｌ−Ｓｕｔｕｒｅ  Ａｎｃｈｏｒ」と題された、米国仮特許出願第６２／６３７，１０６号、および２０１８年３月１日出願の「Ｋｎｏｔｌｅｓｓ  Ａｌｌ−Ｓｕｔｕｒｅ  Ａｎｃｈｏｒ」と題された、米国仮特許出願第６２／６３７，１３４号に優先権を主張し、これらのすべては、参照により本明細書に組み込まれる。
【０００２】
発明の分野
本発明は一般的に、縫合アンカー、より具体的には、骨穴に対して所望の位置に組織を固定するためのノットレス縫合アンカー構築物に関する。
【背景技術】
【０００３】
関連技術の説明
外科手技は、しばしば、基材内および／または基材に対する縫合糸の信頼できる取り付け位置を提供するために、縫合アンカーを必要とする。次に、取り付けられた縫合糸は、軟組織を含む他の物体を捕捉および保持するために使用される。基材は、骨または骨質材料または軟組織であってもよい。骨および骨質材料の場合、縫合アンカーを骨の予め形成された穴に挿入し、その結果、取り付けられた縫合糸が、縫合アンカーから予め形成された穴の外に延びるようにすることができる。基材が軟組織である場合、縫合アンカーは、軟組織の側に存在し、その結果、縫合糸が縫合アンカーから組織の穴を通って、軟質アンカーの反対側の軟組織をさらに越えて延びることができる。
【０００４】
従来的の実施では、縫合アンカーは、少なくとも一つの特徴を組み込んで、縫合アンカーを予め形成された穴に保持する保持能力を生成することができる。いくつかのアンカーでは、特徴は、基材との締まり嵌めを作り出すために、変形できるリジッド部材を具体化する。その他の縫合アンカーは、外部特徴（例えば、バーブ、ねじ山など）を利用する。これらの外部特徴は、基材と相互作用して、多くの場合、基材を貫通する、切断する、および／または変形することによって保持能力を作り出すことができる。さらに他の縫合アンカーでは、特徴は、移動可能（例えば、配置可能なバーブ）であってもよく、保持能力を作り出すために移動する。
【０００５】
多くの要因は、任意の縫合アンカーによって達成される実際の保持能力に直接影響を及ぼす可能性がある。例えば、骨質組織または軟組織の質は、特定の縫合アンカーの設計に応じて、大幅に保持能力を増加または減少させうる。従って、いくつかの縫合アンカーは、特定の状況で良好に実施される一方で、他のアンカーは、その他の状況でより良く実施される。同様に、設置の質は保持能力に影響を与える。
【０００６】
従って、修復縫合糸を予め形成された穴に引き込み、基材を変形させるためのループ構成を形成するために、軟質で可鍛性の基材に交互に配置された縫合糸材料に対するニーズがある。
【０００７】
関連技術セクションの免責条項の説明：特定の特許／刊行物／製品がこの関連技術セクションの説明またはこの開示の他の場所で議論されている限り、これらの議論は議論された特許／刊行物／製品は特許法の目的のための先行技術であるという許可として受け取るべきではない。例えば、議論された特許／刊行物／製品の一部または全ては、十分早期でない場合があり、十分早期に開発された主題を反映していない場合があり、および／または特許法の目的のために先行技術に相当するほど、十分に可能ではない場合がある。特定の特許／刊行物／製品が、この関連技術セクションの説明および／または出願全体を通して上記で議論されている限り、その説明／開示は参照により全て本明細書に組み込まれる。
【発明の概要】
【０００８】
本発明は、骨穴に対して所望の位置に組織を固定するのに最適なノットレス縫合アンカー構築物に関する。一態様によると、ノットレス縫合アンカー構築物は、第一の端および第二の端を有する基材と、基材に沿った複数の通過位置を通して織り込まれたフィラメントとを含む。フィラメントは、通過リムおよび縮小リムに延びる第一のループを形成する。複数の通過位置のうち隣接する二つの通過位置の間に縮小リムの通過部分がある。配置前構成では、フィラメントの第一のループは、基材の第一の端から延び、通過リムおよび縮小リムは、基材の第二の端から延びる。また、配置前構成では、通過部分は第一のループを通って延び、縮小リムに第二のループを形成する。
【０００９】
別の態様によれば、ノットレス縫合アンカー構築物は、通過リムと縮小リムとの間のスプライスを有するフィラメントを含む。通過リムは、スプライスを通って延び、第一のループを作る。構築物はまた、第一の端および第二の端を有する基材を含む。配置前構成では、フィラメントは、通過リムが基材の第一の端の第一の通過位置を通って延びるように、また縮小リムが、基材の第二の端に向かって一つまたは複数の通過位置を通って延びるように、基材を通して織られる。基材の第二の端に向かって、一つまたは複数の通過位置のうちの隣接する二つの通過位置の間に縮小リムの通過部分がある。配置前構成では、通過部分は第一のループを通って延び、縮小リムに第二のループを形成する。
【００１０】
別の態様によれば、本発明は、骨穴に対する位置に物体を固定するための方法である。この方法は、（ｉ）第一の端および第二の端を有する基材、基材に沿って複数の通過位置を通って織られるフィラメントを備え、フィラメントは通過リムおよび縮小リムに延びる第一のループを形成し、フィラメントの第一のループは、基材の第一の端から延び、通過リムおよび縮小リムは、基材の第二の端から延び、複数の通過位置のうちの隣接する二つの通過位置の間に縮小リムの通過部分があり、通過部分は第一のループを通って延び、縮小リムに第二のループを形成する、ノットレス縫合アンカー構築物を提供するステップと、（ｉｉ）ノットレス縫合アンカー構築物を骨穴に挿入するステップと、（ｉｉｉ）通過リムを物体の周り、次いで第二のループを通して通過させるステップと、（ｉｖ）第二のループのサイズを縮小するために縮小リムに張力をかけるステップと、を含む。
【００１１】
本発明のこれらおよびその他の態様は、以下に記述される実施形態を参照して明らかになり、解明されるであろう。
【００１２】
以下の考察は、骨または骨質組織に予め形成された穴に修復縫合糸を引き込むように構成された縫合アンカーの実施形態を説明する。これらの構成は、軟質の可鍛性の基材（例えば、縫合糸リボン）に織り込まれたフィラメント（例えば、縫合糸）を有することができる。不織布フィラメントは、予め形成された穴に隣接する固定部位から始まる修復縫合糸の自由端を受けるループを形成できる。使用時、織り込まれたフィラメントの自由端にかかる張力は、ループが移動して修復縫合糸に係合し、予め形成された穴に自由端が効果的に引き込まれ、フィラメントが基材を通って修復縫合糸に対して自由に移動できるように、修復縫合糸を基材と交互に配置することができる。
【図面の簡単な説明】
【００１３】
本発明の一つまたは複数の態様は、本明細書の終了時に特許請求の範囲の例として特に指摘され、特定的に特許請求される。本発明の前述およびその他の物体、特徴、および利点は、以下の記述から添付図面と併せて明らかである。
【００１４】
【図１】図１は、一実施形態による、平面構成におけるノットレス縫合アンカー構築物の上面概略図である。
【図２】図２は、一実施形態による、第二のループを伴うノットレス縫合アンカー構築物の上面概略図である。
【図３】図３は、一実施形態による、第二のループが第一のループを通る、ノットレス縫合アンカー構築物の上面概略図である。
【図４】図４は、一実施形態による、配置前構成におけるノットレス縫合アンカー構築物の上面概略図である。
【図５】図５は、一実施形態による、物体の周りに使用される、ノットレス縫合アンカー構築物の斜視概略図である。
【図６】図６は、一実施形態による、物体の周りに使用される、ノットレス縫合アンカー構築物の側面概略図である。
【図７】図７は、一実施形態による、物体の周りに使用される、ノットレス縫合アンカー構築物の別の斜視概略図である。
【図８】図８は、一実施形態による、物体の周りに使用される、ノットレス縫合アンカー構築物の別の側面概略図である。
【図９】図９は、一実施形態による、物体の周りに使用される、ノットレス縫合アンカー構築物のさらに別の側面概略図である。
【図１０】図１０は、一実施形態による、物体の周りに配置される構成の、ノットレス縫合アンカー構築物の斜視概略図である。
【図１１】図１１は、一実施形態による、物体の周りに配置される構成の、ノットレス縫合アンカー構築物の側面概略図である。
【図１２】図１２は、一代替実施形態による、第二のフィラメントを伴うノットレス縫合アンカー構築物の上面概略図である。
【図１３】図１３は、一代替実施形態による、第二のフィラメントを伴うノットレス縫合アンカー構築物の底面概略図である。
【図１４】図１４は、一代替実施形態による、配置前構成におけるノットレス縫合アンカー構築物の斜視概略図である。
【図１５】図１５は、一代替実施形態による、配置構成におけるノットレス縫合アンカー構築物の側面概略図である。
【図１６】図１６は、一実施形態による、ドライバー上のノットレス縫合アンカー構築物の側面概略図である。
【図１７Ａ】図１７Ａは、一代替実施形態による、ノットレス縫合アンカー構築物の上面概略図である。
【図１７Ｂ】図１７Ｂは、別の代替実施形態による、ノットレス縫合アンカー構築物の上面概略図である。
【図１７Ｃ】図１７Ｃは、さらに別の代替実施形態による、ノットレス縫合アンカー構築物の上面概略図である。
【図１７Ｄ】図１７Ｄは、一追加代替実施形態による、ノットレス縫合アンカー構築物の上面概略図である。
【図１８】図１８は、一代替実施形態による、フィンガートラップを伴うノットレス縫合アンカー構築物の上面概略図である。
【図１９】図１９は、別の代替実施形態による、フィンガートラップを伴うノットレス縫合アンカー構築物の上面概略図である。
【図２０Ａ】図２０Ａは、一代替実施形態による、配置前構成における、フィンガートラップおよびアイスプライスを伴うノットレス縫合アンカー構築物の斜視概略図である。
【図２０Ｂ】図２０Ｂは、一代替実施形態による、配置構成における図２０Ａのノットレス縫合アンカーの斜視概略図である。
【発明を実施するための形態】
【００１５】
本発明の態様および特定の特徴、利点、およびその詳細は、添付図面に図示した非限定的な例を参照しながらより完全に以下に説明される。本発明の詳細を不必要に不明瞭にしないよう、周知の構造の説明は省略される。しかしながら、本発明の態様を示しつつ、詳細な説明および特定の非限定的な例は、例示のみによって与えられ、限定されるものではないことが理解されるべきである。本発明の基礎となる概念の精神および／または範囲内での様々な置換、修正、追加、および／または配置は、本開示から当業者には明らかであろう。
【００１６】
ここで図面を参照すると、同様の参照番号が全体を通して同様の部分を指しており、図１は、一実施形態による、平面構成におけるノットレス縫合アンカー構築物１００の上面概略図を示す。ノットレス縫合アンカー構築物１００は、中央長手方向のｙ−ｙ軸に沿って第一の端１０４および第二の端１０６と、を有し、その間に延びる基材１０２を備える。基材１０２は、Ｙ−Ｋｎｏｔ（登録商標）縫合テープなどの任意の縫合材料でありうる。図示した実施形態では、基材１０２は長方形であるが、他の形状および構成を使用することができる。
【００１７】
ノットスレス縫合アンカー１００は、基材１０２を通して織られた第一のフィラメント１０８を追加的に含む。フィラメント１０８は、任意の縫合材料から構成されうる。好ましい実施形態では、フィラメント１０８は、中空の縫合糸ブレイドで構成されており、これは平坦で、丸型縫合糸ほど反転しない（また丸型、平坦であってもよく、および／またはコアを含むか、または含まなくてもよい）。第一の構成では、フィラメント１０８は中央セクション１１０で折り畳まれ（「中央セクション」は本明細書ではフィラメント１０８の任意の折り畳まれた領域と解釈され、フィラメント１０８の中央である必要はない）、通過リム１１２および縮小リム１１４を形成する。フィラメント１０８は、複数の通過位置１１８で、基材１０２を通して、第一の表面１１６から第二の表面（図示せず）へと織られる。図示した実施形態では、フィラメント１０８は、中央セクション１１０が、基材１０２の第一の端１０４上の第一の端子通過位置１１８Ａから延在し、フィラメント１０８に（第一の直径を有する）第一のループ１２０を作り出すように、織られている。
【００１８】
図１に示すように、通過リム１１２および縮小リム１１４は、基材１０２に沿って第二の端１０６に向かって、追加的な通過位置１１８を通して織られる。通過リム１１２および縮小リム１１４は、基材１０２の第二の端１０６で、第二の端子通過位置１１８Ｂから延在する。従って、平面構成では、図１に示すように、フィラメント１０８の第一のループ１２０は、基材１０２の第一の端１０４から延び、通過リム１１２および縮小リム１１４は、基材１０２の第二の端１０６から延びる。
【００１９】
ここで図２を参照すると、一実施形態による、第二のループ１２２を伴うノットレス縫合アンカー構築物１００の上面概略図が示されている。ノットレス縫合アンカー構築物１００の平面構成では、隣接する二つの中央通過位置１１８Ｃ、１１８Ｄの間の縮小リム１１４の通過部分１２４が、中央長手方向ｙ−ｙ軸から離れて基材１０２から引き出される。通過部分１２４が基材１０２から引き離されると、示されるように、（第一の直径を有する）第二のループ１２２が、縮小リム１１４に作成される。
【００２０】
ここで図３および図４を参照すると、一実施形態による、第二のループ１２２が第一のループ１２０を通る、ノットレス縫合アンカー構築物１００の上面概略図が示されている。第二のループ１２２が縮小リム１１４（図２）で作成された後、第二のループ１２２は、図３に示すように、基材１０２の第一の端１０４で第一のループ１２０を通過する。その後、第一のループ１２０は、通過リム１１２を、基材１０２の第二の端１０６から離れる方向に引くことによって張力を受ける。通過リム１１２に張力がかかることで、第一のループ１２０が、第一の直径より小さい第二の直径にサイズを縮小させる。図４に示すように、第一のループ１２０のサイズが縮小すると、第二のループ１２２の周りを囲むか、または締め付けて、ノットレス縫合アンカー構築物１００を配置前構成に移動させる。
【００２１】
ここで図５および図６を参照すると、一実施形態による、物体１２６の周りに使用される、ノットレス縫合アンカー構築物１００の斜視および側面概略図が示されている。図４に示すように、配置前構成において、ノットレス縫合アンカー構築物１００は、骨穴１２１に挿入される（図６）。図５〜図６に示すように、ノットレス縫合アンカー構築物１００は、組織などの物体１２６に隣接する骨穴１２１（図６）に配置される。物体１２６は、その他任意の生物学的材料であってもよいが、物体１２６が組織である例示的な実施形態は以下に論じる。ノットレス縫合アンカー構築物１００は、図５に示す通り、基材１０２の第一の端１０４が近位にあり、基材１０２の第二の端１０６が組織１２６に対して遠位にあるように配置される。別の方法として、図６に示すように、ノットレス縫合アンカー構築物１００は、基材１０２の第一の端１０４が組織１２６の一方の側に向かって延び、基材１０２の第二の端１０６が組織の反対側に延びるように、組織１２６の下の骨穴１２１内に配置されうる。
【００２２】
組織１２６の横に位置付けられた第二のループ１２２により、ノットレス縫合アンカー構築物１００が配置されうる。ノットレス縫合アンカー構築物１００を配置するために、図５および図６に示されるように、通過リム１１２は、まず第二のループ１２２を通過し、次に組織１２６を通過するか、またはその周りを通過する。従って、通過リム１１２および第二のループ１２２は、組織１２６を囲むか、またはその他の方法で捉える。通過リム１１２が組織１２６の周りに巻かれた後（または通過した）後、通過リム１１２は、図５および図６に示す通り、第二のループ１２２を通って戻される。
【００２３】
ここで図７〜図９を参照すると、一実施形態による、組織１２６の周りに使用される、ノットレス縫合アンカー構築物１００の斜視および側面概略図が示されている。通過リム１１２が第二のループ１２２を通って戻された後、縮小リム１１４は張力を受ける。縮小リム１１４を基材１０２から離れる方向に引くことによって、第二のループ１２２の第一の直径は、第二の直径まで縮小する。言い換えれば、縮小リム１１４が張力を受けると、第二のループ１２２は、図８〜図９に示す通り、通過リム１１２の周りを締め付け始める。
【００２４】
ここで図１０〜図１１を参照すると、一実施形態による、配置構成でのノットレス縫合アンカー構築物１００の斜視および側面概略図が示されている。配置構成では、縮小リム１１４は、第二のループ１２２がそれを通って延びる通過リム１１２の周りを締め付けるように、張力がかけられている。第二のループ１２２のサイズが縮小した結果、組織１２６は、基材１０２（および骨穴１２１、図１１に示すように）の近くまたは横に引き寄せられ、ノットレス縫合アンカー構築物１００を組織１２６に対して望ましい位置に配置する。
【００２５】
ここで図１２および図１３を参照すると、代替的実施形態による、第二のフィラメント１２８（以下、「ロッキングフィラメント」）を伴う、ノットレス縫合アンカー構築物１００の上面および底面概略図が示されている。図１２では、ノットレス縫合アンカー構築物１００は、配置前構成にある（図４に示すように）。配置前構成のノットレス縫合アンカー構築物１００では、ロッキングフィラメント１２８は、図１３に示す通り、基材１０２の第二の表面１１７から延びる通過リムおよび縮小リム１１２、１１４を通って織り込まれる。ロッキングフィラメント１２８は、通過リム１１２および縮小リム１１４が、基材１０２を引き裂くことを防止する。ロッキングフィラメント１２８はまた、第二のループ１２２が基材１０２に引き込まれることを防止する。ロッキングフィラメント１２８は、例えば、モノフィラメント、ブレイド、または縫合テープなどの任意のタイプの縫合糸で構成されうる。
【００２６】
さらに図１３を参照すると、ロッキングフィラメント１２８は、隣接する二つの通過位置１１８の間の通過リムおよび縮小リム１１２、１１４を通過する。言い換えると、ロッキングフィラメント１２８は、基材１０２の第二の表面１１７上の通過リムおよび縮小リム１１２、１１４の一つまたは複数の露出した部分を通過できる。図１３に示す実施形態では、ロッキングフィラメント１２８は、隣接する三対の通過位置１１８の間の通過リムおよび縮小リム１１２、１１４を通って織り込まれ、隣接する通過位置１１８の一対ごとに一回、通過リムおよび縮小リム１１２、１１４の下を横切る。別の実施形態では、ロッキングフィラメントは、基材１０２の第一の表面上の通過リムおよび縮小リム１１２、１１４の露出した部分を通過できる。
【００２７】
ここで図１４および図１５を参照すると、一代替実施形態による、それぞれ配置前構成および配置構成におけるノットレス縫合アンカー構築物１００の斜視および側面概略図である。図１４におけるノットレス縫合アンカー構築物１００は、基材１０２およびフィラメント１０８を備える。フィラメント１０８は、その間にアイスプライス１３４を有する、第一の端１３０および第二の端１３２を備える。第一の端１３０とアイスプライス１３４との間のフィラメント１０８の部分は、通過リム１１２を備え、第二の端１３２とアイスプライス１３４との間のフィラメント１０８の部分は、縮小リム１１４を備える。
【００２８】
図１４に示す第一の構成を達成するために、通過リム１１２は、最初にアイスプライス１３４を通過し、第一のループ１２０を作り出す。次に、通過リム１１２は、基材１０２の第一の端１０４に少なくとも一つの通過位置１１８を通して織り込まれる。通過リム１１２は、基材１０２の第一の端１０４から延びるように織られる。縮小リム１１４は、基材１０２の第二の端１０６に向かって基材１０２を通って織られる。具体的には、縮小リム１１４は、通過リム１１２の通過位置１１８に隣接する通過位置１１８を通って織られる。図示した実施形態では、縮小リム１１４は、基材１０２に沿って少なくとも二つの通過位置１１８を通って織られ、示されるように、基材１０２の第二の端１０６から延びる。
【００２９】
さらに図１４を参照すると、隣接する二つの通過位置１１８の間の縮小リム１１４の通過部分１２４が、基材１０２から引っ張られる。通過部分１２４が基材１０２から引き離されると、第二のループ１２２が、縮小リム１１４に作成される。配置前構成を達成するために、示されるように、第二のループ１２２は第一のループ１２０を通過する。図１５に示すように、配置のために、ノットレス縫合アンカー構築物１００は、組織などの物体１２６に対して望ましい位置にある骨穴１２１（図１５）内に配置される。
【００３０】
図１４では、ノットレス縫合アンカー構築物１００は、基材１０２の通過リム１１２および第一の端１０４が、組織１２６に対して近位にあるように配置される。図１５に示すように、通過リム１１２は次に、組織１２６の周りに巻かれるか、またはそれを通過する。その後、通過リム１１２は第二のループ１２２を通過する。第二のループ１２２のサイズを縮小するために（第一の直径から第二の直径に）、縮小リム１１４を骨穴１２１から離れる方向に引っ張る。縮小リム１１４が張力を受けるにつれて、第二のループ１２２はサイズが縮小し、通過リム１１２の周りを締め付け、組織１２６を骨穴１２１に引き寄せる。組織１２６が所望の位置にある場合、通過リムおよび縮小リム１１２、１１４はトリミングされうる。
【００３１】
ここで図１６を参照すると、一実施形態による、ドライバー２００上のノットレス縫合アンカー構築物１００の側面概略図が示されている。図示した実施形態では、基材１０２は、ドライバー２００のフォーク状端２０２内に配置される。示されるように、基材１０２の第一の端１０４（および第二のループ１２２）は、ドライバー２００の第一の側２０４にある。基材１０２の第二の端１０６は、ドライバー２００の第二の側２０６にある。図１６に示すように、通過リム１１２および縮小リム１１４は、ドライバー２００の第二の側２０６に沿って基材１０２の第二の端１０６から延びる。図示した実施形態では、第三のフィラメント２０８は第二のループ１２２を通過する。第三のフィラメント２０８は、第二のループ１２２を細長くするように引っ張り、一方で縮小リム１１４を引っ張って第二のループ１２２を最小化することができる。従って、第三のフィラメント２０８および縮小リム１１４は、ノットレス縫合アンカー構築物１００が骨穴内に配置されるとき、第二のループ１２２を安定させることと、ノットレス縫合アンカー構築物１００の配置を容易にすることの両方に使用できる。
【００３２】
ここで図１７Ａ〜図２０Ｂを参照すると、代替的な実施形態のノットレス縫合アンカー構築物１００の様々な概略図が示されている。図１７Ａに示す実施形態では、ノットレス縫合アンカー構築物１００は、図３〜図４の実施形態において第一のループ１２０を通す代わりに、第一のループ１２０の周りを時計回りに巻き付ける、縮小リム１１４に通過部分１２４を備える。図１７Ｂのノットレス縫合アンカー構築物１００はまた、第一のループ１２０の周りに巻き付く通過部分１２４を有するが、第一のループ１２０の周りを図１７Ａに示すのとは反対方向（反時計回り）に巻き付ける。
【００３３】
図１７Ｃに示す実施形態では、通過部分１２４は、第一のループ１２０を通って延びるが、通過部分１２４は、下から第一のループ１２０を通過する（すなわち、図３に示すのとは反対方向から）。図１７Ｄでは、ノットレス縫合アンカー構築物１００の実施形態が示されており、フィラメント１０８は、基材１０２を通って、第一の方向、第二の方向、および再び第一の方向に織り込まれる。フィラメント１０８は、第一のループ１２０が作成され、通過リム１１２および縮小リム１１４が基材１０２の対向する側から延びるように、基材１０２を通過する。
【００３４】
図１８では、ノットレス縫合アンカー構築物１００は、第一のループ１２０内のアイスプライス１３４を備える。縮小リム１１４の通過部分１２４は、第一のループ１２０の周りに巻かれる。その後、縮小リム１１４は、示されるように、アイスプライス１３４を通過する。図１９では、通過リム（図示せず）および縮小リム１１４は、基材１０２の対向する側から延びる。さらに、ノットレス縫合アンカー構築物１００は、縮小リム１１４上に「フィンガートラップ」１３５を備える。第三のフィラメント３０８は、フィンガートラップ１３５および第一のループ１２０を通って進み、縮小リム１１４を捉える。第三のフィラメント３０８は、フィンガートラップ１３５を通して、縮小リム１１４および第一のループ１２０を引っ張るために使用される。
【００３５】
図２０Ａ〜図２０Ｂでは、ノットレス縫合アンカー構築物１００は、フィンガ―トラップ１３５を備え、通過リム１１２および縮小リム１１４はそれを通って進む。図２０Ａに示す通り、通過リム１１２および縮小リム１１４は、配置前構成のフィンガートラップ１３５から延びる。ノットレス縫合アンカー構築物１００はまた、通過リム１１２内のアイスプライス１３４を備える。通過リム１１２は、アイスプライス１３４を通って進み、第二のループ１２２を形成する。ノットレス縫合アンカー構築物１００を配置するために、図２０Ｂに示されるように、通過リム１１２は、第一のループ１２０、物体１２６の周り、第二のループ１２２を通って進む。縮小リム１１４に張力をかけることで、第一のループ１２０のサイズが縮小し、物体１２６をフィンガートラップ１３５に向かって移動させる。
【００３６】
ノットレス縫合アンカー構築物１００のその他の構成が意図されており、フィンガートラップまたはアイスプライスなどの要素の変化を含みうる。
【００３７】
本明細書で定義され使用されるすべての定義は、辞書の定義、参照により組み込まれる文書内の定義、および／または定義された用語の通常の意味を制御するために理解されるべきである。
【００３８】
本明細書で様々な実施形態が説明され、図示されてきたが、当業者は、本明細書に記載の機能を実施し、および／または結果および／または一つもしくは複数の利点を得るための様々な他の手段、および／または構造を容易に想起するであろうし、そのような変形および／または変更の各々は、本明細書に記載の実施形態の範囲内であると見なされる。より一般的に、当業者は、本明細書に記載されるすべてのパラメータ、寸法、材料、および構成が、例示的であり、実際のパラメータ、寸法、材料、および／または構成が、教示が使用される一つまたは複数の特定の用途に依存することを容易に理解するであろう。当業者は、本明細書に記載される特定の実施形態に対する多数の同等物を単に通常の実験を用いて認識することができ、または確認することができる。従って、前述の実施形態は、単に例示的なものとして提示されており、添付した特許請求の範囲およびその等価物の範囲内で、実施形態は、具体的に説明および請求された以外のその他の方法で、実行できることが理解されよう。本開示の実施形態は、本明細書に記載される個々の特徴、システム、物品、材料、キット、および／または方法を対象とする。さらに、こうした特徴、システム、物品、材料、キット、および／または方法が相互に矛盾しない場合、二つ以上のこうした特徴、システム、物品、材料、キット、および／または方法の任意の組み合わせが、本開示の範囲内に含まれる。
【００３９】
本明細書で使用される用語は、特定の実施形態のみを説明する目的のためであり、本発明を限定することを意図していない。本明細書で使用されるように、単数形「ａ」、「ａｎ」および「ｔｈｅ」は、文脈がそうでないことを明確に示さない限り、複数形も含むことが意図される。用語「備える（ｃｏｍｐｒｉｓｅ）」（および「備える（ｃｏｍｐｒｉｓｅｓ）」や「備える（ｃｏｍｐｒｉｓｉｎｇ）」などのｃｏｍｐｒｉｓｅの任意の形式）、「有する（ｈａｖｅ）」（および「有する（ｈａｓ）」や「有する（ｈａｖｉｎｇ）」などのｈａｖｅの任意の形式）、「含む（ｉｎｃｌｕｄｅ）」（および「含む（ｉｎｃｌｕｄｅｓ）」や「含む（ｉｎｃｌｕｄｉｎｇ）」などのｉｎｃｌｕｄｅの任意の形式）、および「包含する（ｃｏｎｔａｉｎ）」（および「包含する（ｃｏｎｔａｉｎｓ）」や「包含する（ｃｏｎｔａｉｎｉｎｇ）」などのｃｏｎｔａｉｎの任意の形式）は、オープンエンドのリンク動詞であることがさらに理解されるだろう。結果として、一つまたは複数のステップまたは要素を「備える（ｃｏｍｐｒｉｓｅ）」、「有する（ｈａｖｅ）」、「含む（ｉｎｃｌｕｄｅ）」または「包含する（ｃｏｎｔａｉｎ）」方法またはデバイス。同様に、一つまたは複数の特徴を「備える（ｃｏｍｐｒｉｓｅ）」、「有する（ｈａｖｅ）」、「含む（ｉｎｃｌｕｄｅ）」または「包含する（ｃｏｎｔａｉｎ）」方法のステップ、またはデバイスの要素は、それら一つまたは複数の特徴を有するが、それらの一つまたは複数の特徴のみを保持することに限定されない。さらに、特定の方法で構成されるデバイスまたは構造は、少なくともそのように構成されるが、リストされていない方法で構成することもできる。
【００４０】
以下の特許請求の範囲の全ての手段またはステッププラス機能要素の対応する構造、材料、行為および同等物は、もしあれば、具体的に請求される他の特許請求の要素と組み合わせて、機能を実行するための構造、材料または行為を含むことを意図している。本発明の説明は、例示および説明の目的で提示されてきたが、本発明に開示された形態で網羅的または限定されるものではない。多くの修正および変形は、本発明の範囲および趣旨から逸脱することなく、当業者には明らかであろう。実施形態は、本発明の一つまたは複数の態様の原理および実際の応用を最もよく説明し、当業者が、考えられる特定の用途に適した様々な修正を有する様々な実施形態について本発明の一つまたは複数の態様を理解できるように選択および説明された。
【図１】
2021516086.tif 000003
【図２】
2021516086.tif 000004
【図３】
2021516086.tif 000005
【図４】
2021516086.tif 000006
【図５】
2021516086.tif 000007
【図６】
2021516086.tif 000008
【図７】
2021516086.tif 000009
【図８】
2021516086.tif 000010
【図９】
2021516086.tif 000011
【図１０】
2021516086.tif 000012
【図１１】
2021516086.tif 000013
【図１２】
2021516086.tif 000014
【図１３】
2021516086.tif 000015
【図１４】
2021516086.tif 000016
【図１５】
2021516086.tif 000017
【図１６】
2021516086.tif 000018
【図１７Ａ】
2021516086.tif 000019
【図１７Ｂ】
2021516086.tif 000020
【図１７Ｃ】
2021516086.tif 000021
【図１７Ｄ】
2021516086.tif 000022
【図１８】
2021516086.tif 000023
【図１９】
2021516086.tif 000024
【図２０Ａ】
2021516086.tif 000025
【図２０Ｂ】
2021516086.tif 000026
【国際調査報告】
2021516086.tif 000027
2021516086.tif 000028
2021516086.tif 000029